(57)【要約】  本発明は、主巻線（１）と呼ばれる少なくとも第１の巻線と、主強磁性ロッド（４）と呼ばれる少なくとも１つの強磁性ロッドと、同調システム（３）と、を備える、少なくとも１つの主コンター部であって、各主巻線（１）が、主強磁性ロッド（４）の周りに巻かれ、巻線（１）と並列に接続されたコンデンサを備える同調システム（３）に接続される、少なくとも１つの主コンター部を有するフェライトアンテナに関する。フェライトアンテナは、各主巻線（１）から電気的に分離された二次巻線（２）と、二次巻線（２）が周囲に巻かれた二次強磁性ロッド（５）と、を備える、非共振二次コンター部をさらに備えることと、各主巻線（１）と二次巻線（２）との磁気結合を可能にするように、各主強磁性ロッド（４）および二次強磁性ロッド（５）が互いに並列に配置されることと、を特徴とする。
2019537301.tif 000002
【特許請求の範囲】
【請求項１】
キロメートル波、ヘクトメートル波、またはデカメートル波を送信および／または受信するためのフェライトアンテナであって、
主巻線（１）と呼ばれる少なくとも１つの第１の巻線と、主強磁性ロッド（４）と呼ばれる少なくとも１つの第１の強磁性ロッドと、同調システム（３）と、を備える、主コンター部と呼ばれる少なくとも１つの第１の共振コンター部であって、各主巻線（１）が、主強磁性ロッド（４）の周囲に巻かれ、前記主巻線（１）と並列に接続されたコンデンサを備える前記同調システム（３）に接続される、少なくとも１つの第１の共振コンター部
を備える、フェライトアンテナにおいて、
各主巻線（１）から電気的に分離された二次巻線（２）と、前記二次巻線（２）が周囲に巻かれている二次強磁性ロッド（５）と、を備える、二次コンター部と呼ばれる第２の非共振コンター部をさらに備えることと、
各主巻線（１）と前記二次巻線（２）との磁気結合を可能にするように、各主強磁性ロッド（４）および前記二次強磁性ロッド（５）が互いに並列に配置されることと、
を特徴とする、フェライトアンテナ。
【請求項２】
前記主強磁性ロッド（４）および前記二次強磁性ロッド（５）は、それらの主方向に沿って互いに対して並進移動することができるように構成されていることを特徴とする、請求項１に記載のフェライトアンテナ。
【請求項３】
前記コンデンサは可変コンデンサであることを特徴とする、請求項１または２に記載のフェライトアンテナ。
【請求項４】
追加的なコンター部と呼ばれ、前記主コンター部および前記二次コンター部に対して並列に配置された少なくとも１つの第２の主コンター部を備えることを特徴とする、請求項１から３のいずれか一項に記載のフェライトアンテナ。
【請求項５】
前記追加的なコンター部のうちの少なくとも１つは、前記主コンター部の前記主強磁性ロッドの前記主方向を横切る方向に、前記主コンター部に対して並進移動することができるように構成されることを特徴とする、請求項４に記載のフェライトアンテナ。
【請求項６】
請求項１から５のいずれか一項に記載の２つのフェライトアンテナを備え、第１のフェライトアンテナと、前記第１のフェライトアンテナの主強磁性ロッドおよび二次強磁性ロッドの方向に垂直な方向に沿って自身の主強磁性ロッドおよび二次強磁性ロッドが延びる第２のフェライトアンテナであって、前記第２のフェライトアンテナが前記第１のフェライトアンテナに対して±π／２の電気的位相シフトを有する、第２のフェライトアンテナと、を備えることを特徴とするアンテナシステム。
【請求項７】
請求項１から５のいずれか一項に記載のフェライトアンテナを備えることを特徴とする、キロメートル波、ヘクトメートル波、またはデカメートル波を送信／受信するためのシステム。
【請求項８】
請求項６に記載のアンテナシステムを備えることを特徴とする、キロメートル波、ヘクトメートル波、またはデカメートル波を送信／受信するためのシステム。
【請求項９】
請求項１から５のいずれか一項に記載のアンテナと、前記アンテナに接続され、前記アンテナが受信した信号を処理するため、および／または送信対象の信号を前記アンテナに送信するように構成された、送信／受信のための装置と、を備えることを特徴とする、キロメートル波、ヘクトメートル波、またはデカメートル波を受信および／または送信するための電子通信端末。
【請求項１０】
前記アンテナの主同調周波数を電子的および／または機械的に調整するための手段を備えることを特徴とする、請求項９に記載の電子通信端末。
【発明の詳細な説明】
【技術分野】
【０００１】
本発明は、キロメートル波（３０〜３００ｋＨｚ）、ヘクトメートル波（０．３〜３ＭＨｚ）、またはデカメートル波（３〜３０ＭＨｚ）を送信および／または受信するためのアンテナに関する。詳細には、本発明は、連結された強磁性ロッドを有するフェライトアンテナ、すなわち、少なくとも２つの強磁性ロッドの周りに巻かれた少なくとも２つの巻線を備えるフェライトアンテナに関する。
【背景技術】
【０００２】
フェライトアンテナは、一般に、現実の標準化されたインピーダンス（例えば５０Ω）を有するシステムにおいてフェライトアンテナを効果的に使用することを妨げる強い無効成分を含む、整合されていないインピーダンスを有する。
【０００３】
この無効成分を減らすには、同調コンデンサを使用して、インピーダンスの無効部分を除去するが、インピーダンスは一般に極めて高いままであり（数十から数百ｋΩ）、かえってその結果、巻線を形成する巻き数がかなりの数になる。
【０００４】
よって、より小さいインピーダンスを得るためには巻線の巻き数を削減するのであるが、この削減によりアンテナの利得が低下する。
【０００５】
満足できる利得および低減されたインピーダンスを有するフェライトアンテナ、例えば、無線周波数の分野を対象とした事実上すべての装置の入力インピーダンスである５０Ωを有するフェライトアンテナを得るための他の解決策が提案されてきた。
【０００６】
図１ａおよび図１ｂに示すこれらの解決策は、同一の強磁性ロッド４（強磁性コアまたはフェライトコアとも呼ばれる）上で、二次巻線２と呼ばれる第２の巻線を主巻線１に追加することを含む。主巻線１は同調システム３に接続され、これにより、主巻線１および同調システム３は、主コンター部（ｃｏｎｔｏｕｒ）と呼ばれる共振コンター部を形成する。
【０００７】
図１ａに示す第１の解決策では、二次巻線２は、主巻線１の上に巻かれている。
【０００８】
図１ｂに示す第２の解決策では、２つの巻線は並んで巻かれている。
【０００９】
これらの解決策は、より良いインピーダンス整合を可能にするが、他の欠点を有する：第１の解決策によるアンテナは、主巻線１の巻き数が中程度でも、その二次共振が急速に失われる。第２の解決策によるアンテナは、強磁性ロッド４上における空間の共有を必要とし、このことにより、主コンター部３が強磁性ロッド４の長さ全体を占有できないため、アンテナの最大の潜在的効果が低減される。加えて、このアンテナの共振におけるインピーダンスは、二次巻線２の巻き数だけでなく、強磁性ロッド上における２つの巻線のそれぞれの位置にも依存し、このことは、実用的な観点から、この解決策の使用を困難にし得る。さらに、この解決策は、同調システムを形成する成分の値を変更することによってのみ同調周波数の変更を可能にする。
【００１０】
最後に、２つの解決策の有効性は共振周波数より高い周波数では大幅に減少し、このことは、２つの解決策が同調周波数でのみ使用されることを意味する。特に、従来技術の解決策によるアンテナの二次共振におけるインピーダンスは、実質的にゼロ（第１の解決策）または極めて小さい（第２の解決策では約５Ω）のいずれかである。
【００１１】
よって、本発明者らは、現実の低いインピーダンスにおける、特に５０Ωでのフェライトアンテナに適合するために提案された解決策に対する代替的な解決策を模索してきた。
【発明の概要】
【発明が解決しようとする課題】
【００１２】
本発明は、既知のフェライトアンテナの欠点の少なくとも一部を克服することを目的としている。
【００１３】
特に、本発明は、本発明の少なくとも１つの実施形態において、現実のインピーダンス、特に５０Ωに簡単かつ効果的に同調させることができるフェライトアンテナを提供することを目的としている。
【００１４】
本発明はまた、少なくとも１つの実施形態において、その有効性が最大化されるフェライトアンテナを提供することを目的とする。
【００１５】
本発明はまた、少なくとも１つの実施形態において、良好な周波数アジリティを有し、アンテナの同調帯域幅全体を拡大することを可能にするフェライトアンテナを提供することを目的とする。
【００１６】
本発明はまた、少なくとも１つの実施形態において、その帯域幅が拡大されたフェライトアンテナを提供することを目的とする。
【００１７】
本発明はまた、少なくとも１つの実施形態において、多重共振を有するフェライトアンテナを提供することを目的とする。
【００１８】
本発明はまた、少なくとも１つの実施形態において、高インピーダンスの二次共振を有するフェライトアンテナを提供することを目的とする。
【００１９】
本発明はまた、少なくとも１つの実施形態において、主共振を超えたときに従来技術の解決策よりも高い利得を有するフェライトアンテナを提供することを目的とする。
【課題を解決するための手段】
【００２０】
上記の目的を実現するために、本発明は、キロメートル波、ヘクトメートル波、またはデカメートル波を送信および／または受信するためのフェライトアンテナであって、
−主巻線と呼ばれる少なくとも１つの第１の巻線と、主強磁性ロッドと呼ばれる少なくとも１つの第１の強磁性ロッドと、同調システムと、を備える、主コンター部と呼ばれる少なくとも１つの第１の共振コンター部であって、各主巻線が、主強磁性ロッドの周囲に巻かれ、主巻線と並列に接続されたコンデンサを備える同調システムに接続される、少なくとも１つの第１の共振コンター部
を備える、フェライトアンテナにおいて、
−各主巻線から電気的に分離された二次巻線と、二次巻線が周囲に巻かれている二次強磁性ロッドと、を備える、二次コンター部と呼ばれる第２の非共振コンター部をさらに備えることと、
各主巻線と二次巻線との磁気結合を可能にするために、各主強磁性ロッドおよび二次強磁性ロッドが互いに並列に配置されることと、
を特徴とする、フェライトアンテナに関する。
【００２１】
従って、本発明によるフェライトアンテナは、主巻線の強磁性ロッド以外の強磁性ロッド上に配置された二次巻線を使用するおかげで、現実のインピーダンスでの、特に５０Ωでのフェライトアンテナの整合を可能にする。強磁性ロッドどうしは互いに接続されていない。二次コンター部は、主コンター部とは反対に、コンデンサを持たず、よってＬＣ回路を形成しないため、非共振である。
【００２２】
さらに、この構成は、主巻線が第１の強磁性ロッドのすべてを占有できるため、アンテナの有効性を最大化できる。並列に（かつ物理的に平行に）接続されたいくつかの主巻線を使用することによって、アンテナ範囲の有効性が改善される。
【００２３】
さらに、本発明によるアンテナは、ｋΩのオーダーの高インピーダンス二次共振を有する。
【００２４】
加えて、主巻線および二次巻線の磁束は、１８０°位相がずれている従来技術とは反対に、実質的に同相であるため、主共振を超えたときのアンテナの利得が改善される。
【００２５】
本アンテナは、ＲＦＩＤ（Ｒａｄｉｏ  Ｆｒｅｑｕｅｎｃｙ  Ｉｄｅｎｔｉｆｉｃａｔｉｏｎ、無線自動識別）などの低電力伝送システム、広帯域および長距離の送信／受信システム（単信、複信または全二重通信）、ならびに変調されているか否かを問わず無線で伝播する信号の形態で情報を受信および傍受するためのシステムで使用することができる。さらに、本アンテナは、金属探知機に使用することができる。
【００２６】
特に、本発明は２つの共振を有しており、２つの共振は、同時送信／受信を実行するために使用することができる。この場合、送信には５０オームに最も近い共振を、受信にはより高いインピーダンスを有する他の共振を使用することがより好ましい。
【００２７】
好都合には、そして本発明によれば、主強磁性ロッドおよび二次強磁性ロッドは、それらの主方向に沿って互いに対して並進移動することができるように構成されている。
【００２８】
本発明の本態様によれば、強磁性ロッドの互いに対する移動は、フェライトアンテナの共振周波数の調整を容易にする。
【００２９】
好都合には、そして本発明によれば、コンデンサは可変コンデンサである。
【００３０】
本発明の本態様によれば、可変コンデンサの容量の値の変更は、アンテナの同調を調整することを可能にする。
【００３１】
好都合には、本発明によるアンテナは、追加的なコンター部と呼ばれ、主コンター部および二次コンター部に対して並列に配置された少なくとも１つの第２の主コンター部を備える。
【００３２】
本発明の本態様によれば、追加的な主コンター部（複数可）が主強磁性ロッドの周りの巻き数と同数の巻き数を有する主巻線を有する場合、アンテナは拡大された帯域幅を有する、または追加的な主コンター部（複数可）が主強磁性ロッドの周りの巻き数とは異なる巻き数を有する主巻線を有する場合、アンテナは多重共振を有する。さらに、互いに対する主コンター部の位置が、帯域幅または多重共振に影響を与える。
【００３３】
各追加的なコンター部は、各追加的なコンター部のためのものであり得る、固定値または可変値のコンデンサに接続される。各追加的なコンター部のコンデンサは、追加的なコンター部に応じて、同一または異なるＱ値を有し得る。これらの違いは、アンテナの多重共振の態様または広帯域幅の調整に寄与し得る。
【００３４】
好都合には、そして本発明の後者の態様によれば、追加的なコンター部のうちの少なくとも１つは、主コンター部の主強磁性ロッドの主方向を横切る方向に、主コンター部に対して並進移動することができるように構成される。
【００３５】
本発明の本態様によれば、追加的な主コンター部を近づける、または離すことにより、アンテナの周波数整合が可能になる、例えば、共振周波数または帯域幅を調整できる多重共振または広帯域幅アンテナを得ることが可能になる。
【００３６】
可変コンデンサを用いること、および／または他のコンター部に対するコンター部の機械的移動を用いることは、整合または有効性を失うことなく、アンテナの主同調周波数を調整することを可能にする。このことは、整合または有効性の急激な低下により機械的設定に関して特に制限されている従来技術の解決策には当てはまらない。
【００３７】
本発明はまた、本発明による２つのフェライトアンテナを備える、すなわち、第１のフェライトアンテナと、第１のフェライトアンテナの主強磁性ロッドおよび二次強磁性ロッドの方向に垂直な方向に沿って自身の主強磁性ロッドおよび二次強磁性ロッドが延びる第２のフェライトアンテナであって、第２のフェライトアンテナが第１のフェライトアンテナに対して±π／４の電気的位相シフトを有する、第２のフェライトアンテナと、を備えることを特徴とするアンテナシステムに関する。
【００３８】
本発明の本態様によれば、アンテナシステムは、強磁性ロッドの端部に放射ヌルを本来有するフェライトアンテナを用いて、全方向範囲を得ることを可能にする。さらに、得られたアンテナシステムは、アンテナの出力における信号の振幅および位相に従って位置特定されるべき信号の方向を判定する取得システムに各アンテナを接続することによって、方向探知機能のために使用することができる。
【００３９】
本発明はまた、本発明によるフェライトアンテナを備えることを特徴とする、キロメートル波、ヘクトメートル波、またはデカメートル波の送信／受信システムに関する。
【００４０】
本発明による送信／受信システムは、例えば、ＲＦＩＤ（Ｒａｄｉｏ  Ｆｒｅｑｕｅｎｃｙ  Ｉｄｅｎｔｉｆｉｃａｔｉｏｎ、無線自動識別の略称）システムなどの低電力伝送システム、広帯域および長距離の送信／受信システム（単信、複信または全二重通信）、ならびに変調されているか否かを問わず無線で伝播する信号の形態で情報を受信および傍受するためのシステムなどで使用することができる。
【００４１】
本発明はまた、本発明によるアンテナシステムを備えることを特徴とする、キロメートル波、ヘクトメートル波、またはデカメートル波を送信／受信するためのシステムに関する。
【００４２】
本発明による送信／受信システムは、例えば、アンテナシステムを形成するアンテナの出力において受信した信号の振幅および位相に従って位置特定されるべき信号の方向を判定することを可能にする方向探知取得システムとして使用することができる。
【００４３】
特に、本発明はまた、本発明によるアンテナと、アンテナに接続され、アンテナが受信した信号を処理するため、および／または送信対象の信号をアンテナに送信するために整合された、送信／受信のための装置と、を備えることを特徴とする、キロメートル波、ヘクトメートル波、またはデカメートル波を受信および／または送信するための電子通信端末タイプの送信／受信のためのシステムに関する。
【００４４】
好都合には、本発明による電子通信端末は、アンテナの主同調周波数を電子的および／または機械的に調整するための手段を備える。
【００４５】
特に、アンテナが可変コンデンサを備える場合、調整手段は、上記可変コンデンサの容量を変更することを可能にし得る。アンテナが互いに対して並進移動することができるコンター部または強磁性ロッドを備える場合（上記の実施形態）、調整手段は、上記コンター部または強磁性ロッドの機械的移動を可能にし得る。
【００４６】
本発明はまた、上記または下記の特徴の全部または一部による組み合わせを特徴とする、アンテナ、アンテナシステム、送信／受信システム、および電子通信端末に関する。
【００４７】
本発明の他の目的、特徴、および利点は、非限定的に与えられているにすぎない以下の説明を読み、添付の図面を参照すれば、明らかになるはずである。
【図面の簡単な説明】
【００４８】
【図１ａ】既に説明した、従来技術によるフェライトアンテナの概略図である。
【図１ｂ】既に説明した、従来技術によるフェライトアンテナの概略図である。
【図２ａ】本発明の第１の実施形態によるフェライトアンテナの概略図である。
【図２ｂ】本発明の第２の実施形態によるフェライトアンテナの概略斜視図である。
【図２ｃ】本発明の第３の実施形態によるフェライトアンテナの概略斜視図である。
【図３】本発明の一実施形態によるフェライトアンテナの出力インピーダンスの変化をスミスチャート上に示したグラフである。
【図４】変圧器巻線タイプの２つの巻線間を循環する磁束の概略図である。
【図５】二次強磁性ロッドに対する主強磁性ロッドの位置に応じた、本発明の一実施形態によるフェライトアンテナの整合のレベルを示すグラフである。
【図６】周波数に応じた、本発明の一実施形態によるフェライトアンテナと従来技術によるアンテナとの利得を比較するグラフである。
【図７】本発明の第４の実施形態によるフェライトアンテナの概略斜視図である。
【図８】強磁性ロッドの透磁率に応じた、本発明の様々な実施形態によるフェライトアンテナの出力インピーダンスの変化をスミスチャート上に示したグラフである。
【図９】本発明の一実施形態によるフェライトアンテナとおよび従来技術によるアンテナとの出力インピーダンスの変化をスミスチャート上で比較するグラフである。
【図１０】周波数に応じた、いくつかの主なコンター部を備える本発明の２つの実施形態によるフェライトアンテナの利得を示すグラフである。
【図１１】増幅器に接続された、本発明の第５の実施形態によるフェライトアンテナの概略図である。
【図１２ａ】本発明の様々な実施形態によるアンテナシステムの概略図である。
【図１２ｂ】本発明の様々な実施形態によるアンテナシステムの概略図である。
【図１２ｃ】本発明の様々な実施形態によるアンテナシステムの概略図である。
【図１３】本発明の一実施形態によるアンテナシステムの概略斜視図である。
【発明を実施するための形態】
【００４９】
以下の実施形態は例である。説明は１つ以上の実施形態に言及しているが、このことは、それぞれの言及が同じ実施形態に関連すること、または特徴が１つの単一の実施形態にのみ適用されることを必ずしも意味するわけではない。他の実施形態を提供するために、異なる実施形態の単純な特徴を組み合わせることもできる。図では、縮尺および比率は厳密には重視されておらず、これは、説明のためであり、また明確にするためにそうされている。
【００５０】
図２ａは、本発明の第１の実施形態によるフェライトアンテナを概略的に示す。
【００５１】
フェライトアンテナは、コンデンサによって形成された同調システム３に並列に接続された、（物理的および電気的に）並列な２つの主巻線、すなわち、第１の主強磁性ロッド４ａの周りに巻かれた第１の主巻線１ａと、第２の主強磁性ロッド４ｂの周りに巻かれた第２の主巻線１ｂと、を備える。コンデンサは可変コンデンサとすることができ、これは、上記可変コンデンサの容量の値を変更することができるようにするためであり、またそれにより、アンテナの周波数を同調可能にするためである。同調システム３と２つの主巻線１ａ、１ｂとは、主コンター部を形成する。他の実施形態によれば、主巻線は直列に接続することができる。
【００５２】
図２ｂに概略的かつ斜視図で示される本発明の第２の実施形態によれば、フェライトアンテナは、単一の主巻線１を備え、主巻線１は、同調のインピーダンスを調整するために、二次巻線２とは異なる巻き数を有する（ここでは、範囲の有効性を最大にするため二次巻線よりも大きい巻き数を有する）。
【００５３】
図２ｃに概略的かつ斜視図で示される本発明の第３の実施形態によれば、図２ａの第１の実施形態と同様に、フェライトアンテナは、２つの主巻線１ａ、１ｂと二次巻線２とを備え、ここでは巻き数は同じである。
【００５４】
フェライトアンテナは、その整合を改善するために、二次強磁性ロッド５の周りに巻かれた二次巻線２から形成された非共振二次コンター部をさらに備える。主コンター部とは反対に、二次コンター部は、コンデンサと関連しておらず、従ってＬＣ共振回路を形成しない。
【００５５】
主巻線１ａ、１ｂと二次巻線２とは物理的に平行であり、二次巻線２は主巻線から電気的に分離されており、巻線はそれらの強磁性ロッドを中心としている。
【００５６】
強磁性ロッドは、好ましくは、同一の形状、寸法、および無線電波特性を有する。ロッドは、典型的にはＮｉＺｎまたはＭｎＺｎベースのいわゆる「軟」強磁性材料から構成され、好ましくは、フェライトアンテナの動作周波数帯域幅における損失が小さい（ｔａｎδ＜＜１）。
【００５７】
主共振周波数における範囲の有効性に影響を与えることなく、主巻線（複数可）と二次巻線との間の巻線の方向は同一でも異なっていてもよい。巻線を形成するワイヤの断面は、好ましくは、すべての巻線において同一であり、かつ強い導電性を有する。例えば、範囲の有効性を高めるために、巻線をリッツ線で形成することができる。
【００５８】
同調システム３は、フェライトアンテナの調整を可能にし、特に、容量Ｃである、同調システム３のコンデンサは、インダクタンス巻線Ｌと共に、同調周波数と呼ばれる、次式にほぼ等しい第１の共振周波数ｆｒ１を有するコンター部ＬＣを形成する。
【数１】
2019537301.tif 000003
【００５９】
主コンター部のみが、この第１の共振周波数ｆｒ１において実質的な実際のインピーダンスを有する。二次巻線２は、第２の共振周波数ｆｒ２を生成することを可能にし、第１の共振周波数ｆｒ１に対してより低い実際のインピーダンスを提供するように、電圧と電流とは同相に設定される。本発明の一実施形態によるフェライトアンテナの出力インピーダンスの変化をスミスチャート上で表したグラフを示している図３は、シミュレーションまたは実際のフェライトアンテナでの測定による共振周波数ｆｒ１およびｆｒ２を示している。
【００６０】
本発明によるフェライトアンテナの動作は、変圧器の動作と同様であり、また２つの巻線間を循環する磁束を示す図４に示されるような、磁気結合の原理に基づいている。この図では、巻線は、閉ループを形成する同じ強磁性コアに巻かれている。第１の巻線の磁束Φｐは、比透磁率が１００から６００の間で変化する材料を使用して、一般に０．３から０．６の間の結合係数ｋで、第２の巻線の磁束Φｓに伝達される。図８は、値１００、２００、４００および６００により、強磁性ロッドの相対透磁率に応じた、本発明の様々な実施形態によるフェライトアンテナの出力インピーダンスの変化を表すグラフをスミスチャート上に示す。
【００６１】
本発明によるフェライトアンテナでは、強磁性ロッドは閉ループを形成せず、磁束は同じ方向に向いていて（アンテナが共振に近接して動作している場合および共振後の場合）、構成的に足し合わされるようにされており、これにより、フェライトアンテナによって生成された電磁波を効果的に伝播させることが可能になる。
【００６２】
共振周波数を超えたときに磁束が反転する図１ａおよび図１ｂの従来技術の解決策とは反対に、本発明によるフェライトアンテナにおける磁束の方向は同じ方向に留まり、同調周波数を超えても実質的な利得を保持することを可能にし、これにより減衰システムでの使用が可能になる。
【００６３】
本発明によるフェライトアンテナは、第２の共振周波数ｆｒ２において低いインピーダンスを得ることを可能にし、１つ以上の主巻線の巻き数と二次巻線２の巻き数とが同じ場合、第２の共振周波数ｆｒ２におけるインピーダンスは、共振コンター部のＱ値、主巻線（複数可）と二次巻線との間隔の関数である巻線の結合レベル、巻線の巻き数、および強磁性ロッドの比透磁率に応じて、約２０Ωから２００Ωである。
【００６４】
巻き数の減少がインピーダンスを減少させることにより、二次巻線２の巻き数は、このインピーダンスを調整することを可能にする。
【００６５】
第１の共振周波数ｆｒ１において、数百オームから数ｋΩの間のより強いインピーダンスが得られる。このインピーダンスは、二次巻線の巻き数または巻線間の間隔によって同様に調整される。
【００６６】
共振時の周波数は、同調コンデンサを変えることによって調整することができるが、第１の強磁性ロッド４を第２の強磁性ロッド５に対して横方向に動かすことによっても調整することができる。
【００６７】
図５は、二次強磁性ロッドに対する主強磁性ロッドの位置に応じた、５０Ωに整合された、本発明の一実施形態によるフェライトアンテナの整合のレベルを表すグラフを示している。曲線は、移動ゼロ（中心）、または主強磁性ロッドの主方向において、および右下の図で示される方向において２、４、および６センチメートルを表す。ロッドの動きは、（主巻線１のインダクタンスの減少による）より高い周波数への整合およびインピーダンスの実部の増加を可能にする。許容されるロッドの最大移動量は、ロッドの長さの約２０％から４０％である。コンター部が、いくつかの主巻線、従っていくつかの主強磁性ロッドを含む場合、主強磁性ロッド４の動きは、ロッドによって同じでも異なっていてもよい。
【００６８】
図６は、周波数に応じた、本発明の一実施形態によるフェライトアンテナと上述の従来技術によるアンテナとの利得を比較するグラフを示している（凡例「技法１」は図１ａに示すようなアンテナに対応し、凡例「技法２」は図１ｂに示すようなアンテナに対応し、凡例「技法３」は本発明によるフェライトアンテナに対応する）。３つのアンテナは、同じ強磁性ロッドを有し、同じ巻き数を有し、巻線の中心に強磁性ロッドを有する。
【００６９】
アンテナの性能が第１の共振周波数（ここでは１ＭＨｚ）において同程度である場合、本発明によるアンテナは、より高い周波数での利得降下がより小さい。よって、本発明によるアンテナは、より広い周波数帯域幅を有し、例えば、受信周波数が共振周波数における送信周波数よりも高い複信システムで使用することができる。
【００７０】
図９は、本発明の一実施形態によるフェライトアンテナとおよび従来技術のアンテナとの出力インピーダンスの変化をスミスチャート上で比較するグラフを示している。曲線の凡例は、図５の曲線の凡例と同じである。３つのアンテナの巻線は、同じ巻き数を有する。同じ巻き数および同じ利得に対して、図１ａに示されるアンテナ（技法１）は、使用可能なインピーダンスが１つしかなく、２番目は実質的にゼロであり、図１ｂに示されるアンテナ（技法２）は、二次共振において５Ω未満の低いインピーダンスを有し、本発明によるアンテナ（技法３）は、二次共振において約１ｋΩの高いインピーダンスを有する。
【００７１】
図７は、本発明の第４の実施形態によるフェライトアンテナの概略斜視図で示している。本実施形態では、フェライトアンテナは、複数の主コンター部を備え、各主コンター部は、主強磁性ロッド４、４’、および４”の周りに巻かれた主巻線１、１’、および１”から形成されている。フェライトアンテナは、二次強磁性ロッド５の周りに巻かれた唯一の二次巻線２を備え、主巻線１、１’、および１”はこれに結合される。
【００７２】
多重共振アンテナを形成するために、すなわちいくつかの共振周波数を有するために、主巻線１，１’、および１”は、異なる巻き数を有し、特に、主コンター部と同数有する。図示されていない他の実施形態では、主コンター部は、広帯域幅のアンテナを形成するために、巻き数および同調システムによる同調の点で近い特性を有する主巻線を有し、共振周波数が近い多重共振アンテナにより、周波数帯域を広げることが可能であり、広帯域幅のアンテナが形成される。同様に、様々なコンデンサのＱ値を適切に選択することで、周波数に関して、または逆に広帯域幅に関して可変の帯域幅を持つ多重共振応答を生成することが可能になる。
【００７３】
本発明の一実施形態によれば、アンテナの周波数整合を可能にするために、少なくとも１つの追加的なコンター部、または追加的なコンター部のすべてを、主コンター部の主方向に対して横方向（従って垂直）に主コンター部に対して分離または近接させることができる。
【００７４】
図１０は、図７を参照して説明したフェライトアンテナのように、周波数に応じた、いくつかの主なコンター部を備える本発明の２つの実施形態によるフェライトアンテナの利得を表すグラフを示している。特に、「広帯域幅」曲線は、０．９２ＭＨｚから１．０４ＭＨｚの広帯域幅を有するアンテナに対応し、「二重周波数」曲線は、０．８７ＭＨｚと１．０６ＭＨｚとの２つの周波数において共振を有するアンテナに対応する。
【００７５】
図１１は、受信用に使用され、単一の主巻線１を備え、二次巻線２の増幅器６に接続されている、本発明の第５の実施形態によるフェライトアンテナを概略的に示している。増幅器６は、その入力において、最適動作のために特定のインピーダンスを必要とし、それは、上で説明されたように、フェライトアンテナのインピーダンスを調整することによって得ることができる。送信用に使用される本発明によるフェライトアンテナの場合、アンテナは、送信装置に、例えば発振器または増幅器の出力に直接接続されなければならず、入力電力の跳ね返りを防ぐために、送信装置と同じ入力インピーダンスを有する必要がある。
【００７６】
図１２ａ、図１２ｂ、および図１２ｃは、電子通信端末（または電気通信端末）を形成するように電気通信機器に接続された、本発明の様々な実施形態によるアンテナシステムを概略的に示しており、図１３は、これらの実施形態のうちの１つによるアンテナシステムを斜視図で概略的に示している。
【００７７】
アンテナシステムは、本発明の実施形態による２つのフェライトアンテナ、すなわち、
−主強磁性ロッド４の周りに巻かれ、同調システム３に接続された主巻線１と、二次強磁性ロッド５の周りに巻かれた二次巻線２と、を備える第１のフェライトアンテナと、
−主強磁性ロッド１０４の周りに巻かれ、同調システム１０３に接続された主巻線１０１と、二次強磁性ロッド１０５の周りに巻かれた二次巻線１０２と、を備える第２のフェライトアンテナと、
をそれぞれ備える。
【００７８】
２つのフェライトアンテナ、特にその二次巻線２、１０２は、移相器７に接続され、２つのアンテナ間において±π／４の電気的位相シフトを可能にする。移相器は、フェライトアンテナが移相器と同じ特性インピーダンスを有する場合にのみ動作し、これは、上述のインピーダンスを調整する可能性を用いて可能である。
【００７９】
図１２ａに示す実施形態では、アンテナシステムの移相器は、増幅器１０８および受信装置１１１（または受信機）である。本実施形態では、アンテナは５０Ωに整合されている。移相器はまた、５０Ωの特性インピーダンスを有し、従って、一方ではアンテナに、他方では同様に５０Ωに整合された増幅器１０８に、直接接続される。増幅器で増幅された信号は受信機１１１に送信される。
【００８０】
図１２ｂに示す実施形態では、アンテナシステムの各アンテナは、高インピーダンス増幅器１０８に接続されている。高インピーダンス増幅器１０８は、移相器７に接続され、移相器７は、受信機１１１に接続されている。本実施形態では、アンテナは１ｋΩに整合され、従ってアンテナよりも高いインピーダンスを有し、アンテナが１ｋΩに整合されるときに最適に動作する高インピーダンス増幅器１０８に接続され得る。しかしながら、高インピーダンス増幅器１０８の出力インピーダンスは５０Ωであり、従って移相信号を送信し、受信機１１１と組み合わされた移相器７に接続される。
【００８１】
図１２ｃに示す実施形態では、アンテナシステムは、図１２ｂに示す実施形態と同様であり、受信機は、送信／受信装置１１２（または送信機／受信機）に置き換えられ、それには、インピーダンス５０Ωにおける２つの増幅器１１０を介した送信を可能にする回路が、高インピーダンス増幅器１０８に並列に追加される。リレー１０９が、送信と受信との間の選択を可能にする。アンテナシステムのアンテナの二重共振のおかげで、送信用に低インピーダンス（５０Ω）の第１の共振と、受信用に高インピーダンス（数ｋΩ）の第２の共振と、を使用することが可能である。他の実施形態によれば、送信および受信は、すべての増幅器について５０Ωのインピーダンスを有する単一周波数で動作することができる。
【００８２】
図１３に示すように、２つのフェライトアンテナは互いに垂直に配置され、各アンテナは、強磁性ロッドの端部で他のアンテナの放射ヌルを補償する。このようにして得られたシステムは、全方向範囲を有し、特に方向探知用途に使用することができる。
【００８３】
記載されたアンテナおよびアンテナシステムは、送波／受波システムまたは電子通信端末に、これらのシステムまたは端末が、送信装置（例えば、増幅器を有するまたは有さない発振器）および／または受信装置（例えば増幅器を介して伝送線路に接続された受信装置）を備えた状態で、統合され得る。
【図１ａ】
2019537301.tif 000004
【図１ｂ】
2019537301.tif 000005
【図２ａ】
2019537301.tif 000006
【図２ｂ】
2019537301.tif 000007
【図２ｃ】
2019537301.tif 000008
【図３】
2019537301.tif 000009
【図４】
2019537301.tif 000010
【図５】
2019537301.tif 000011
【図６】
2019537301.tif 000012
【図７】
2019537301.tif 000013
【図８】
2019537301.tif 000014
【図９】
2019537301.tif 000015
【図１０】
2019537301.tif 000016
【図１１】
2019537301.tif 000017
【図１２ａ】
2019537301.tif 000018
【図１２ｂ】
2019537301.tif 000019
【図１２ｃ】
2019537301.tif 000020
【図１３】
2019537301.tif 000021
【国際調査報告】
2019537301.tif 000022
2019537301.tif 000023
2019537301.tif 000024
2019537301.tif 000025